(57)【要約】【課題】画像の色表現に用いる色相範囲の限定を、専用の処理回路を設けることなく行うことができ、その限定内容に基づいて印刷を行える画像処理装置を提供する。【解決手段】スキャナにて生成したＲＧＢ画像データをＬａｂデータに変換する。画像が取りうる色成分を限定するための色相範囲がユーザにより指定されると、色度ａ、ｂに対し、該色相範囲に対応する演算処理を独立に行い、該色相範囲内のみに色成分を有するＬａｂデータを生成する。無彩色を維持せず、黄色領域に限定する場合は、ａ’＝ａ／４およびｂ’＝ｂ／２＋６４なる演算を行う。これにより、フルカラーのデータであっても、主として黄色の濃淡のみで画像内容を表すＬａｂデータへと変換される。該Ｌａｂデータはさらに、あらかじめ指定された色相範囲と対応付けられた印刷色成分のみで表現されるＣＭＹＫデータへと変換され、印刷に供される。【選択図】図３
2007059964.tif 000002
【特許請求の範囲】
【請求項１】
無彩成分と２つの有彩成分とを含む色座標系にて記述された第１画像データを入力する入力手段と、
第２画像データが存在し得る特定の色相範囲を指定する第１指定手段と、
前記第１指定手段による指定結果に基づいて、前記第１画像データの前記２つの有彩成分のそれぞれに対して独立に変換処理を施すことにより、前記第２画像データを生成する第１変換手段と、
を備えることを特徴とする画像処理装置。
【請求項２】
請求項１に記載の画像処理装置であって、
前記第２画像データを、印刷に使用可能な色成分からなる色座標系にて記述された第３画像データに変換する第２変換手段と、
前記第３画像データを用いた印刷を行う場合に使用する印刷色成分を設定する印刷色成分設定手段と、
をさらに備え、
前記印刷色成分設定手段は、前記第１指定手段によって指定された色相範囲とあらかじめ対応付けられている色成分を前記印刷色成分として設定する、
ことを特徴とする画像処理装置。
【請求項３】
請求項２に記載の画像処理装置であって、
前記印刷色成分設定手段における印刷色成分の設定の際に無彩色の色成分を設定対象に含むか否かを指定する第２指定手段、
をさらに備え、
前記印刷色成分設定手段は、前記第２指定手段による指定内容に基づいて、前記印刷色成分を設定する、
ことを特徴とする画像処理装置。
【請求項４】
請求項２または請求項３に記載の画像処理装置であって、
印刷に使用可能な色成分からなる色座標系にて記述された画像データに基づく印刷処理を行う所定の印刷手段を制御する印刷制御手段、
をさらに備え、
前記第２変換手段はフルカラー再現用の変換テーブルを用いた変換処理を行い、
前記印刷制御手段は、前記第３画像データについての印刷処理を行う際に、前記印刷色成分設定手段によって設定された印刷色成分のみを対象に印刷を行うように前記印刷手段を制御する、
ことを特徴とする画像処理装置。
【請求項５】
請求項１に記載の画像処理装置であって、
前記第２画像データを、印刷に使用可能な色成分からなる色座標系にて記述された第３画像データに変換する第２変換手段と、
前記第３画像データを用いた印刷を行う場合に使用する印刷色成分を設定する印刷色成分設定手段と、
をさらに備え、
前記第２変換手段は、前記印刷色成分設定手段によって設定された印刷色成分についてはフルカラー再現用の変換テーブルを用いた変換処理を行い、残りの色成分については印刷時に再現されない所定の色成分値に変換する、
ことを特徴とする画像処理装置。
【請求項６】
請求項１ないし請求項５のいずれかに記載の画像処理装置であって、
前記第１変換手段は、前記２つの有彩成分のそれぞれについて独立に、前記変換処理の変換前の成分値をｘ、変換後の成分値をｙとし、ｃ０、ｃ１を実数とするときに、前記変換処理として、
ｙ＝ｃ１・ｘ＋ｃ０・・・（式１）
なる式にて表現される変換処理を行う、
ことを特徴とする画像処理装置。
【請求項７】
請求項６に記載の画像処理装置であって、
前記２つの有彩成分の少なくとも一方について（式１）がｘｙ平面の原点を通らない、
ことを特徴とする画像処理装置。
【請求項８】
請求項６に記載の画像処理装置であって、
前記２つの有彩成分の少なくとも一方について、ｘの少なくとも一部の範囲で（式１）においてｃ１＝０である、
ことを特徴とする画像処理装置。
【請求項９】
請求項１ないし請求項８のいずれかに記載の画像処理装置であって、
前記第１変換手段における変換処理の際に無彩色の色成分を無彩色のまま維持するか否かを指定する第３指定手段、
をさらに備え、
前記第１変換手段は、前記第３指定手段による指定内容に基づいて、前記変換処理を行う、
ことを特徴とする画像処理装置。
【請求項１０】
フルカラー画像を表現する画像データの画像処理方法であって、
無彩成分と２つの有彩成分とを含む色座標系にて記述された第１画像データを入力する入力工程と、
第２画像データが存在し得る特定の色相範囲を指定する第１指定工程と、
前記第１指定工程における指定結果に基づいて、前記第１画像データの前記２つの有彩成分のそれぞれに対して独立に変換処理を施すことにより、前記第２画像データを生成する第１変換工程と、
を備えることを特徴とする画像処理方法。
【請求項１１】
請求項１０に記載の画像処理方法であって、
前記第２画像データを、印刷に使用可能な色成分からなる色座標系にて記述された第３画像データに変換する第２変換工程と、
前記第３画像データを用いた印刷を行う場合に使用する印刷色成分を設定する印刷色成分設定工程と、
をさらに備え、
前記印刷色成分設定工程においては、前記第１指定手段によって指定された色相範囲とあらかじめ対応付けられている色成分を前記印刷色成分として設定する、
ことを特徴とする画像処理方法。
【請求項１２】
請求項１１に記載の画像処理方法であって、
前記印刷色成分設定工程における印刷色成分の設定の際に無彩色の色成分を設定対象に含むか否かを指定する第２指定工程、
をさらに備え、
前記印刷色成分設定工程においては、前記第２指定工程における指定内容に基づいて、前記印刷色成分を設定する、
ことを特徴とする画像処理方法。
【請求項１３】
請求項１１または請求項１２に記載の画像処理方法であって、
所定の印刷手段によって前記第３画像データについての印刷処理を印刷を行う印刷工程、
をさらに備え、
前記第２変換工程においてはフルカラー再現用の変換テーブルを用いた変換処理を行い、
前記印刷工程においては、前記印刷色成分設定工程において設定された印刷色成分のみを対象に印刷を行う、
ことを特徴とする画像処理方法。
【請求項１４】
請求項１０に記載の画像処理方法であって、
前記第２画像データを、印刷に使用可能な色成分からなる色座標系にて記述された第３画像データに変換する第２変換工程と、
前記第３画像データを用いた印刷を行う場合に使用する印刷色成分を設定する印刷色成分設定工程と、
をさらに備え、
前記第２変換工程においては、前記印刷色成分設定工程において設定された印刷色成分についてはフルカラー再現用の変換テーブルを用いた変換処理を行い、残りの色成分については印刷時に再現されない所定の色成分値に変換する、
ことを特徴とする画像処理方法。
【請求項１５】
請求項１０ないし請求項１４のいずれかに記載の画像処理方法であって、
前記第１変換工程においては、前記２つの有彩成分のそれぞれについて独立に、前記変換処理の変換前の成分値をｘ、変換後の成分値をｙとし、ｃ０、ｃ１を実数とするときに、前記変換処理として、
ｙ＝ｃ１・ｘ＋ｃ０・・・（式２）
なる式にて表現される変換処理を行う、
ことを特徴とする画像処理方法。
【請求項１６】
請求項１５に記載の画像処理方法であって、
前記２つの有彩成分の少なくとも一方について（式２）がｘｙ平面の原点を通らない、
ことを特徴とする画像処理方法。
【請求項１７】
請求項１５に記載の画像処理方法であって、
前記２つの有彩成分の少なくとも一方について、ｘの少なくとも一部の範囲で（式２）においてｃ１＝０である、
ことを特徴とする画像処理方法。
【請求項１８】
請求項１０ないし請求項１７のいずれかに記載の画像処理方法であって、
前記第１変換工程における変換処理の際に無彩色の色成分を無彩色のまま維持するか否かを指定する第３指定工程、
をさらに備え、
前記第１変換工程においては、前記第３指定工程における指定内容に基づいて、前記変換処理を行う、
ことを特徴とする画像処理方法。
【発明の詳細な説明】
【技術分野】
【０００１】
本発明は、画像データに基づいて印刷物を生成する画像処理装置に関するものであり、特に、画像の色表現に用いる色相範囲を限定して印刷を行う処理に関する。
【背景技術】
【０００２】
画像データに基づく記録を例えば静電写真方式によって行うことにより、記録紙上に画像を形成する画像処理装置が公知である。
【０００３】
そうした画像処理装置の一種に、原稿をＣＣＤにより読み取ってＲＧＢ色座標系にて記述される画像データを生成し、適宜の変換処理によってこれをＣＭＹＫ色座標系にて記述される画像データに変換した上で画像形成を行って、複写物を生成する装置がある。
【０００４】
係る画像処理装置においては、ＣＭＹＫの４つ全ての色成分を用いたカラー画像（フルカラー画像）を形成する処理（これをフルカラーモードと称する）に加えて、そのいずれかの１つの色成分のみを用いたモノカラー画像を形成する処理（モノカラーモード）やモノカラー画像とモノクロ画像とからなる２色カラー画像を形成する処理（マルチカラーモード）が可能とされているのが一般的である。
【０００５】
モノカラー画像や２色カラー画像を形成するための複数の手法がすでに公知である（例えば、特許文献１ないし特許文献３参照）。
【０００６】
【特許文献１】特開昭６３−２４６９７９号公報
【特許文献２】特開平１１−１８７２７９号公報
【特許文献３】特開平９−１６３１６９号公報
【発明の開示】
【発明が解決しようとする課題】
【０００７】
特許文献１ないし特許文献３に開示されている手法は、いずれも、ＲＧＢ色座標系にて記述される画像データからＣＭＹＫ色座標系にて記述された（いずれかの色成分のみで表現される）モノカラー画像を生成するための専用の手段（処理回路）が必要である。
【０００８】
また、特許文献２に開示されている手法は、色座標系の変換処理をいわゆるマスキング処理によって行うことを前提とするものであるため、近年主流となっている３次元ＬＵＴを用いた変換処理に適用した場合、取り扱うデータ容量が増大し、処理が煩雑となるので、その適用は困難である。
【０００９】
また、特許文献３に開示されている手法は、彩度情報を求めるための手段が必要であり、回路構成が複雑化する。
【００１０】
本発明は、上記課題に鑑みてなされたものであり、画像の色表現に用いる色相範囲の限定を、専用の処理回路を設けることなく行うことができ、加えてその限定内容に基づいて印刷を行える画像処理装置を提供することを目的とする。
【課題を解決するための手段】
【００１１】
上記課題を解決するため、請求項１の発明は、無彩成分と２つの有彩成分とを含む色座標系にて記述された第１画像データを入力する入力手段と、第２画像データが存在し得る特定の色相範囲を指定する第１指定手段と、前記第１指定手段による指定結果に基づいて、前記第１画像データの前記２つの有彩成分のそれぞれに対して独立に変換処理を施すことにより、前記第２画像データを生成する第１変換手段と、を備えることを特徴とする。
【００１２】
また、請求項２の発明は、請求項１に記載の画像処理装置であって、前記第２画像データを、印刷に使用可能な色成分からなる色座標系にて記述された第３画像データに変換する第２変換手段と、前記第３画像データを用いた印刷を行う場合に使用する印刷色成分を設定する印刷色成分設定手段と、をさらに備え、前記印刷色成分設定手段は、前記第１指定手段によって指定された色相範囲とあらかじめ対応付けられている色成分を前記印刷色成分として設定する、ことを特徴とする。
【００１３】
また、請求項３の発明は、請求項２に記載の画像処理装置であって、前記印刷色成分設定手段における印刷色成分の設定の際に無彩色の色成分を設定対象に含むか否かを指定する第２指定手段、をさらに備え、前記印刷色成分設定手段は、前記第２指定手段による指定内容に基づいて、前記印刷色成分を設定する、ことを特徴とする。
【００１４】
また、請求項４の発明は、請求項２または請求項３に記載の画像処理装置であって、印刷に使用可能な色成分からなる色座標系にて記述された画像データに基づく印刷処理を行う所定の印刷手段を制御する印刷制御手段、をさらに備え、前記第２変換手段はフルカラー再現用の変換テーブルを用いた変換処理を行い、前記印刷制御手段は、前記第３画像データについての印刷処理を行う際に、前記印刷色成分設定手段によって設定された印刷色成分のみを対象に印刷を行うように前記印刷手段を制御する、ことを特徴とする。
【００１５】
また、請求項５の発明は、請求項１に記載の画像処理装置であって、前記第２画像データを、印刷に使用可能な色成分からなる色座標系にて記述された第３画像データに変換する第２変換手段と、前記第３画像データを用いた印刷を行う場合に使用する印刷色成分を設定する印刷色成分設定手段と、をさらに備え、前記第２変換手段は、前記印刷色成分設定手段によって設定された印刷色成分についてはフルカラー再現用の変換テーブルを用いた変換処理を行い、残りの色成分については印刷時に再現されない所定の色成分値に変換する、ことを特徴とする。
【００１６】
また、請求項６の発明は、請求項１ないし請求項５のいずれかに記載の画像処理装置であって、前記第１変換手段は、前記２つの有彩成分のそれぞれについて独立に、前記変換処理の変換前の成分値をｘ、変換後の成分値をｙとし、ｃ０、ｃ１を実数とするときに、前記変換処理として、ｙ＝ｃ１・ｘ＋ｃ０・・・（式１）なる式にて表現される変換処理を行う、ことを特徴とする。
【００１７】
また、請求項７の発明は、請求項６に記載の画像処理装置であって、前記２つの有彩成分の少なくとも一方について（式１）がｘｙ平面の原点を通らない、ことを特徴とする。
【００１８】
また、請求項８の発明は、請求項６に記載の画像処理装置であって、前記２つの有彩成分の少なくとも一方について、ｘの少なくとも一部の範囲で（式１）においてｃ１＝０である、ことを特徴とする。
【００１９】
また、請求項９の発明は、請求項１ないし請求項８のいずれかに記載の画像処理装置であって、前記第１変換手段における変換処理の際に無彩色の色成分を無彩色のまま維持するか否かを指定する第３指定手段、をさらに備え、前記第１変換手段は、前記第３指定手段による指定内容に基づいて、前記変換処理を行う、ことを特徴とする。
【００２０】
また、請求項１０の発明は、フルカラー画像を表現する画像データの画像処理方法であって、無彩成分と２つの有彩成分とを含む色座標系にて記述された第１画像データを入力する入力工程と、第２画像データが存在し得る特定の色相範囲を指定する第１指定工程と、前記第１指定工程における指定結果に基づいて、前記第１画像データの前記２つの有彩成分のそれぞれに対して独立に変換処理を施すことにより、前記第２画像データを生成する第１変換工程と、を備えることを特徴とする。
【００２１】
また、請求項１１の発明は、請求項１０に記載の画像処理方法であって、前記第２画像データを、印刷に使用可能な色成分からなる色座標系にて記述された第３画像データに変換する第２変換工程と、前記第３画像データを用いた印刷を行う場合に使用する印刷色成分を設定する印刷色成分設定工程と、をさらに備え、前記印刷色成分設定工程においては、前記第１指定手段によって指定された色相範囲とあらかじめ対応付けられている色成分を前記印刷色成分として設定する、ことを特徴とする。
【００２２】
また、請求項１２の発明は、請求項１１に記載の画像処理方法であって、前記印刷色成分設定工程における印刷色成分の設定の際に無彩色の色成分を設定対象に含むか否かを指定する第２指定工程、をさらに備え、前記印刷色成分設定工程においては、前記第２指定工程における指定内容に基づいて、前記印刷色成分を設定する、ことを特徴とする。
【００２３】
また、請求項１３の発明は、請求項１１または請求項１２に記載の画像処理方法であって、所定の印刷手段によって前記第３画像データについての印刷処理を印刷を行う印刷工程、をさらに備え、前記第２変換工程においてはフルカラー再現用の変換テーブルを用いた変換処理を行い、前記印刷工程においては、前記印刷色成分設定工程において設定された印刷色成分のみを対象に印刷を行う、ことを特徴とする。
【００２４】
また、請求項１４の発明は、請求項１０に記載の画像処理方法であって、前記第２画像データを、印刷に使用可能な色成分からなる色座標系にて記述された第３画像データに変換する第２変換工程と、前記第３画像データを用いた印刷を行う場合に使用する印刷色成分を設定する印刷色成分設定工程と、をさらに備え、前記第２変換工程においては、前記印刷色成分設定工程において設定された印刷色成分についてはフルカラー再現用の変換テーブルを用いた変換処理を行い、残りの色成分については印刷時に再現されない所定の色成分値に変換する、ことを特徴とする。
【００２５】
また、請求項１５の発明は、請求項１０ないし請求項１４のいずれかに記載の画像処理方法であって、前記第１変換工程においては、前記２つの有彩成分のそれぞれについて独立に、前記変換処理の変換前の成分値をｘ、変換後の成分値をｙとし、ｃ０、ｃ１を実数とするときに、前記変換処理として、ｙ＝ｃ１・ｘ＋ｃ０・・・（式２）なる式にて表現される変換処理を行う、ことを特徴とする。
【００２６】
また、請求項１６の発明は、請求項１５に記載の画像処理方法であって、前記２つの有彩成分の少なくとも一方について（式２）がｘｙ平面の原点を通らない、ことを特徴とする。
【００２７】
また、請求項１７の発明は、請求項１５に記載の画像処理方法であって、前記２つの有彩成分の少なくとも一方について、ｘの少なくとも一部の範囲で（式２）においてｃ１＝０である、ことを特徴とする。
【００２８】
また、請求項１８の発明は、請求項１０ないし請求項１７のいずれかに記載の画像処理方法であって、前記第１変換工程における変換処理の際に無彩色の色成分を無彩色のまま維持するか否かを指定する第３指定工程、をさらに備え、前記第１変換工程においては、前記第３指定工程における指定内容に基づいて、前記変換処理を行う、ことを特徴とする。
【発明の効果】
【００２９】
請求項１ないし請求項１８の発明によれば、専用の生成回路を備えるなどといった、複雑な構成を要することなく、例えばモノカラー画像の生成を生成する場合のように、ある色相範囲にのみ色成分を有するような画像の生成を、簡単な変換処理のみで実現出来る。
【００３０】
特に、請求項２ないし請求項４、および請求項１１ないし請求項１３の発明によれば、印刷に用いる色成分をあらかじめ定めておくことで、指定された色相範囲で表現される画像の印刷において、トナーなどの記録材を節約しつつ多様な色表現を行うことが可能となる。
【００３１】
特に、請求項３および請求項１２の発明によれば、無彩成分の記録材を使用するか否かを、ユーザが好みに応じて設定することが出来る。
【００３２】
特に、請求項４および請求項１３の発明によれば、指定された色相範囲で表現される画像の印刷において、印刷色成分として設定されていない色成分についての記録材が使用されるという無駄を防止することができる。
【００３３】
特に、請求項５および請求項１４の発明によれば、第２変換手段による変換処理の際に用いる変換テーブルを、指定される色相範囲に対応させてあらかじめ備えなくとも、変換処理を行うことが出来る。
【００３４】
特に、請求項６ないし請求項８、および請求項１５ないし請求項１７の発明によれば、第１変換手段における変換処理が簡単になる。
【００３５】
特に、請求項９および請求項１８の発明によれば、第１変換手段における変換処理の際に無彩色の色成分を無彩色のまま維持するか否かを、ユーザが好みに応じて設定することが出来る。
【発明を実施するための最良の形態】
【００３６】
＜装置の構成概要＞
図１は、本発明の実施の形態に係る画像処理装置１Ａの内部構成を示すブロック図である。画像処理装置１Ａは、原稿の像を読み取り、該原稿の複写物の生成やファクシミリ送信などを行える、いわゆる複合機である。画像処理装置１Ａは、スキャナ１１と、プリンタ１２と、表示部１３と、操作部１４と、給紙部１５と、フィニッシャ１６と、ＡＤＦ（Automatic Document Feeder）１７とを主として備える。また、画像処理装置１Ａは、ＭＰＵ（マイクロプロセッサ；MicroProcessor Unit）２０、ＲＯＭ２１およびＲＡＭ２２を備えるマイクロコンピュータを内蔵している。ＭＰＵ２０は、ＲＯＭ２１に格納されたプログラムを読み出して実行することにより、画像処理装置１Ａの各構成を統括制御する。ＲＡＭ２２は、ＭＰＵ２０による統括制御に必要なデータを一時記憶する。ＭＰＵ２０による統括制御により、画像処理装置１Ａの各種機能が実現される。また、ＭＰＵ２０は、操作部１４に対する操作を検出して画像処理装置１Ａの動作へ反映させるとともに、表示部１３における表示内容の制御を行う。
【００３７】
スキャナ１１は、ＦＢＳ(Flat Bed Scanner)方式およびＡＤＦ方式による原稿上の画像の読み取り処理を担う。ＦＢＳ方式の場合は、図示しない原稿ガラス上に載置された原稿を読取機構１１３を移動させつつ読み取る。ＡＤＦ方式の場合は、読取機構１１３を所定位置に固定した状態で、ＡＤＦ１７にて供給された原稿を読み取る。読取機構１１３は、ライン状に設けられたＣＣＤイメージセンサ（ラインセンサ）により原稿上の画像をライン単位に順次に（線順次に）読み取り、当該画像に係る画像データを生成する。
【００３８】
当該画像データは、ＲＧＢ色座標系で記述されるデータであるが、画像変換処理部５０に供され、後述する所定の変換処理を施された上で、プリンタ１２における画像記録処理（複写処理）に供される。また、ファクシミリ送信処理を行う場合には、当該画像データはファクシミリ送信における送信画像データの生成にも利用される。スキャナ１１は公知の技術によって実現可能である。
【００３９】
プリンタ１２は、ＣＭＹＫの４つの色成分によって記述されてなる印刷画像データに基づいて、記録紙上に画像を形成する印刷処理（出力処理）を担う。プリンタ１２は、公知の技術によって実現可能である。
【００４０】
表示部１３および操作部１４は、ユーザインターフェースとして設けられる。表示部１３は、液晶ディスプレイ等の表示デバイスによって構成され、複写処理その他に関する各種情報を表示する。操作部１４は、メカニカルスイッチで構成され、複写処理その他に関する各種指示をオペレータが画像処理装置１Ａに与える際に用いられる。なお、表示部１３をタッチパネルディスプレイで構成して、表示部１３が操作部１４の一部または全部の機能を兼ね備えるようにしてもよい。
【００４１】
給紙部１５は、複写処理や印刷処理に用いられる所定のサイズ（例えば、Ａ４，Ｂ５等）の記録紙を格納する。
【００４２】
フィニッシャ１６は、画像が形成された記録紙に、ステープル加工および／またはパンチ加工等のフィニッシング処理を施す。
【００４３】
ＡＤＦ１７は、複数枚の原稿を連続的に読み取ることが出来るよう、原稿を自動的に供給する機構である。ＡＤＦ１７は、所定の原稿給紙トレイにセットされている原稿を１枚ずつスキャナ１１へと給送する。また、ＡＤＦ１７の内部には用紙反転機構１７Ｒが備わっており、原稿の両面について複写を行うよう設定されている場合に、スキャナ１１が片面の読み取りを完了すると、その反対側の面を読み取り対象面とすべく該原稿を反転させることができるようになっている。ＡＤＦ１７は、公知の技術によって実現可能である。
【００４４】
また、画像処理装置１Ａは、ファクシミリとしての機能を実現するため、ＮＣＵ（網制御装置；Network Control Unit）２４、ＭＯＤＥＭ（モデム；MOdulator DEModulator）２５、ＣＯＤＥＣ（符号化・復号器；COderand DECoder）２６をさらに備える。
【００４５】
ＮＣＵ２４は、一般公衆電話回線網（ＰＳＴＮ；Public Switched Telephone Networks）への接続を制御する。ＮＣＵ２４は、通信先の電話番号（ＦＡＸ番号を含む）に対応したダイヤル信号を送出する機能および着信を検出する機能を備える。
【００４６】
ＭＯＤＥＭ２５は、ＩＴＵ（国際電気通信連合）−Ｔ勧告Ｔ．３０に従ったファクシミリ伝送制御手順に基づいて、Ｖ．１７，Ｖ．２７ｔｅｒ，Ｖ．２９等に従った送信データの変調および受信データの復調を行う。あるいは、ＭＯＤＥＭ２５は、これらに加えて、Ｖ．３４に従った送信データの変調および受信データの復調を行う。ＭＯＤＥＭ２５によって変調された送信データは、ＮＣＵ２４を経由してＰＳＴＮへ送出される。また、ＭＯＤＥＭ２５が復調を行う受信データは、ＮＣＵ２４を経由してＰＳＴＮから与えられる。
【００４７】
ＣＯＤＥＣ２６は、スキャナ１１における読み取り処理によって得られた送信画像データをＭＨ，ＭＲおよびＭＭＲ方式等により符号化（エンコード）して画像メモリ２３に記憶する。記憶された符号化データは、ＭＯＤＥＭ２５において変調され、ファクシミリ送信される。また、ＣＯＤＥＣ２６は、ＭＯＤＥＭ２５によって復調され、画像メモリ２３に記憶されている受信データ（符号化データ）を復号（デコード）する。復号により得られた画像データはプリンタ１２による記録処理に供される。
【００４８】
オプションスロット３０は、オプションボード４０を着脱可能に構成される。オプションスロット３０に装着されたオプションボード４０は、ＭＰＵ２０と通信可能であり、ＭＰＵ２０によって制御される。
【００４９】
画像変換処理部５０は、読み取り画像データに対し所定の変換処理を行い、プリンタ１２において処理可能なＣＭＹＫ色座標系で記述された印刷画像データを生成する処理を担う。係る所定の変換処理の１つとして、フルカラーを表現する画像データを、ユーザが所望する任意の色相範囲のみを色成分に含む画像データに変換する処理が実行可能とされてなる。フルカラー画像データをモノカラー画像データに変換する処理は、その一例に相当する。図２は、画像変換処理部５０の機能的な構成要素を示す図である。図２に示すように、画像変換処理部５０は、第１色空間変換部５１と、色度変換部５２と、第２色空間変換部５３と、変換条件設定部５４と、画像調整処理部５５と、印刷色成分設定部５６とを備える。また、図２においては、処理の過程で生成され、処理対象とされるデータを併せて示している。
【００５０】
第１色空間変換部５１は、スキャナ１１において得られたＲＧＢ色座標系にて記述されてなる読み取り画像データＤ０について、１つの明度（もしくは輝度）成分と２つの色度成分とで記述されるデータ、例えば、明度成分Ｌと２つの色度成分ａ、ｂとからなるＬａｂ色座標系にて記述されるデータに変換する。該変換処理により得られたデータを、第１中間データＤ１と称する。第１中間データＤ１は、記述形式（色座標系）が異なるだけで読み取り画像データＤ０と同一の画像内容を表現するデータとして生成される。よって、フルカラー画像を表現する読み取り画像データＤ０からは、フルカラー画像を表現する第１中間データＤ１が生成されることになる。係る変換処理には、公知の手法を適用可能である。生成された第１中間データＤ１は色度変換部５２へと供される。
【００５１】
色度変換部５２は、変換条件設定部５４による設定内容に従い色度変換処理を行い、第２中間データＤ２を生成する。ここで、色度変換処理とは、上述のように第１中間データＤ１がフルカラー画像を表現するデータである場合に、これを、ユーザによって指定された色相範囲の色成分のみで画像を表現するデータに変換する処理をいう。具体的には、Ｌａｂ色座標系にて記述されてなる任意の色（取りうる色相範囲が限定されていない色）についての色度値ａ，ｂを、所定の変換規則に従って、ユーザによって指定された色相範囲をみたす色度値ａ，ｂに変換する処理である（なお、変換処理前の色度値と区別するため、変換処理後の色度値をａ’，ｂ’と表現することがある）。換言すれば、ある画像を表現するデータにおいて取りうる色度値の範囲を限定する処理である。色度変換処理は、色空間を（用いる色座標系を）変換する処理ではないので、第２中間データＤ２は第１中間データＤ１と同じくＬａｂ色座標系にて記述されるデータである。ただし、第２中間データＤ２がＬａｂ色座標系にて取りうる色相範囲は、ユーザによる指定によって限定されているため、こうした限定のない第１中間データＤ１の取りうる色相範囲より狭くなっている。なお、変換条件設定部５４における設定内容によっては色度変換処理を行わない態様、つまりはフルカラーを維持する態様も可能である。係る場合は、第２中間データＤ２は第１中間データＤ１の内容をそのまま引き継ぐことになる。色度変換処理による画像データの変換の詳細については後述する。
【００５２】
変換条件設定部５４は、上述した色度変換処理における変換条件を、ユーザが設定するための処理を担う。具体的には、ＭＰＵ２０の作用によって表示部１３に表示される所定の処理メニューに従い、ユーザが、色度変換処理の実行の要否や変換された画像が取りうる色相範囲などを操作部１４を介して設定すると、変換条件設定部５４は該選択内容を取得して、色度変換部５２および印刷色成分設定部５６に与える。
【００５３】
例えば、操作部１４において所定の数値を入力することにより、色相範囲の設定をできるようになっていてもよい。あるいは、色相平面を適宜に分割した複数の色相範囲をタッチパネルディスプレイに表示させ、押圧操作によってそのうちの１つまたは複数を選択出来る、といった態様で、色相範囲の設定メニューが与えられていてもよい。
【００５４】
図７は、その一例を示す図である。図７に示す色相範囲設定メニューＭＮは、６つの色相範囲Ｒ、Ｍ、Ｂ、Ｃ、Ｇ、Ｙと対応するタッチボタンＢｒ、Ｂｍ、Ｂｂ、Ｂｃ、Ｂｇ、Ｂｙのうちの１または複数を選択することにより、第２中間データＤ２がＬａｂ色座標系にて取りうる色相範囲を設定することができる場合を例示している。これは、色相平面を、無彩色点である原点を中心に６つの扇形状の色相範囲に分割し、そのうちの１つまたは複数の範囲を選択する処理に相当する。なお、いずれかのタッチボタンを選択した後、さらに範囲を絞り込めるようになっていてもよい。あるいは、色相平面があらかじめ図７に例示する場合よりも細かく（例えば複数のブロック状に）分割されてなる態様であってもよい。
【００５５】
また、図７においては図示の制約により示すことは出来ないが、色相範囲設定メニューＭＮそのものがカラー表示されてなり、それぞれの色相範囲が、対応する色そのものによって表示されてなる態様であってもよい。
【００５６】
加えて、無彩色の色成分の状態を、変換後の画像の色相範囲においても維持するか否かを選択できるようになっていてもよい。図７に示す色相範囲設定メニューＭＮにおいては、タッチボタンＢｋの選択／非選択状態を切り替えることで、ユーザがその要否を好みに応じて設定することが出来る。
【００５７】
第２色空間変換部５３は、Ｌａｂ色座標系にて記述されてなる第２中間データＤ２を、プリンタ１２において処理可能な記述形式のデータである、ＣＭＹＫ色座標系にて記述された印刷画像データＤ３に変換する。このようにして得られた印刷画像データＤ３がプリンタ１２に供されて、画像記録に用いられる。印刷画像データＤ３は、記述形式（色座標系）が異なるだけで第２中間データＤ２と同一の画像内容を表現するデータとして生成される。
【００５８】
係る変換処理における具体的な変換態様は、次述する印刷色成分設定部５６における印刷色成分の設定結果に応じて定められる。ＣＭＹＫの各色成分の全てによって印刷を行うように設定される場合、つまりはフルカラーの色表現を行う場合には、各色成分ごとにＲＯＭ２１にあらかじめ記憶されている所定の空間変換テーブル（フルカラー再現用の空間変換テーブル）の全てがＲＡＭ２２に読み出され、これらを参照することによって変換処理がなされる。係る処理は、公知の技術によって実現される。
【００５９】
ただし、特定の色成分のみを用いて印刷を行うように設定される場合には、設定された色成分についてはフルカラー再現用の空間変換テーブルをそのまま用いるものの、設定されなかった色成分については、印刷によって再現されない所定の色成分値（例えばゼロ）に変換される。よって、ユーザによって指定される色相範囲に応じて、空間変換テーブルを個別に備えておく必要はない。すなわち、ユーザによって指定される色相範囲に限定して出力する場合であっても、常にフルカラー再現用の空間変換テーブルを用いることが出来る。ただし、このことは、そうした個別的な空間変換テーブルの使用を除外するものではない。
【００６０】
印刷色成分設定部５６は、ユーザが印刷画像データＤ３を用いた印刷（画像記録）を行う場合に使用する印刷色成分を、色度変換処理の際にユーザが指定した色相範囲に基づいて設定する。例えば、指定された色相範囲と印刷色成分との対応関係をあらかじめ記述してなる図示しない空間変換テーブルを記憶しており、変換条件設定部５４からユーザによって指定された色相範囲の情報が与えられると、印刷色成分設定部５６は、該空間変換テーブルを参照して対応する印刷色成分を特定し、その情報を第２色空間変換部５３に与える。係る場合、空間変換テーブルにおいては、色相範囲に応じてＣＭＹＫの各色成分のうち１つないし４つの色成分が適宜に対応付けられる。
【００６１】
あるいは、Ｋ色成分（無彩色成分）については、これを対応付けるか否かを、所定の指定メニューによって別個に指定できるようになっていてもよい。このような指定が可能な場合、例えば、原稿における黒文字の有無に応じて、印刷における無彩色成分の記録材の使用の可否を指定することが出来る。
【００６２】
例えば、図７に示す色相範囲設定メニューＭＮにおいて色相範囲が指定できる場合であれば、空間変換テーブルにおいては、Ｃのみ、Ｙのみ、あるいはＭのみを含む色相範囲について、それぞれ、印刷色成分としてＣ、Ｍ、Ｙのみが対応付けられる。また、Ｒのみ、Ｇのみ、Ｂのみのいずれかのみを含む色相範囲については、それぞれ、印刷色成分としてＹとＭ、ＭとＣ、ＣとＹの２つの色成分が対応付けられる。また、Ｋ色成分の対応付けを別個に指定できる場合は、その指定がされた際にはさらにＫ色成分が印刷色成分として対応付けられることになる。
【００６３】
また、色相範囲の設定をさらに細かく行える場合には、印刷色成分の設定もこれに応じて行えるように、空間変換テーブルは記述される。例えば、図７に示す６つの色相範囲をそれぞれさらに２つずつに細分化して指定が出来る場合であれば、ＹにおけるＲ側の色相範囲が指定されたときにもＹとＭとが印刷色成分として設定されるように、空間変換テーブルを記述しておくことなども可能である。この場合、Ｙのみを用いて印刷を行うよりも、色の表現力が向上することになる。
【００６４】
なお、指定された色相範囲に対応付けられている印刷色成分が１つである場合には、当該印刷色成分による濃淡で画像内容が表現されたモノカラー画像が、印刷されることになる。一方、ユーザが色相範囲の限定を行わない場合には、ＣＭＹＫの全てが印刷色成分として設定されることになる。
【００６５】
上述したように、このような印刷色成分の設定内容に応じて、第２色空間変換部５３において使用する空間変換テーブルが定められることになる。印刷に際して、ユーザによって指定された色相範囲に応じて適切な色成分の記録材（例えばトナーなど）のみが使用されることになるので、記録材の節約を図りつつ、多様な色表現が可能となる。
【００６６】
画像調整処理部５５は、画像データに対して色調整や画質調整などをユーザが任意に行うために備わる。なお、図２においては第２中間データＤ２を処理の対象とする場合を例示しているが、第１中間データＤ１を対象とする態様であってもよい。
【００６７】
＜指定した色相範囲への画像データの変換＞
次に、色度変換部５２において実現される色度変換処理による、ユーザが指定した色相範囲への画像データの変換について説明する。色度変換処理においては、ユーザによりあらかじめ指定された色相範囲に応じて、変換特性の異なる変換処理モードのいずれかが選択的に実行され、これにより、係る色相範囲にのみ色成分を有する第２中間データＤ２が生成されるようになっている。具体的には、変換処理の際の無彩色の取り扱い方（変換前の状態を維持するかしないか）に応じて、実行される変換処理モードが大別される。ただし、いずれの変換処理モードについても、明度成分Ｌはそのままに、色度成分ａ、ｂに対して独立に、色相に応じた所定の変換処理を行う点では共通している。
【００６８】
まず１つ目の変換処理モードは、色度変換処理に際して、無彩色の状態を維持しないモードである。これを第１変換処理モードと称する。第１変換処理モードにおいては、変換前の無彩色が指定された色相範囲の中央あたりの色成分となるように、変換が行われる。
【００６９】
２つ目の変換処理モードは、色度変換処理に際して、無彩色の状態を維持するモードである。これを第２変換処理モードと称する。第２変換処理モードの場合、変換前の無彩色について無彩色の状態を実質的に維持するとともに、変換前には指定された色相範囲と反対色相であった色成分についても実質的に無彩色となるように、変換が行われる。
【００７０】
これら２つの変換処理モードのいずれを用いて、どのような色相範囲への色度変換処理を行うのかは、処理対象となる第１中間データＤ１の画像内容や処理の目的に応じて、例えば図７にて例示したようなメニューによって、ユーザにより適宜に定められる。すなわち、ユーザは、画像内容により適するように、色表現に用いたい色相範囲の指定と、該色相範囲への色度変換処理における変換処理モードの選択とを行うことが出来る。その設定内容は、変換条件設定部５４を通じて色度変換部５２に対し与えられる。色度変換部５２が、これに従って色度変換処理を実行することにより、指定された色相範囲のみに色成分を有する第２中間データＤ２が生成されることになる。
【００７１】
図３および図４は、第１変換処理モードによる色度変換処理を例示する図である。図３は取りうる色相範囲として黄色（色相：Ｙ）領域を指定した場合を、図４は赤色（色相：Ｒ）領域を指定した場合を、それぞれ例示している。また、図５および図６は、第２変換処理モードによる色度変換処理を例示する図である。図５は黄色領域を指定した場合を、図６は赤色領域を指定した場合を、それぞれ例示している。
【００７２】
なお、図３ないし図６において変換前を表す（ａ）は、Ｌａｂ色座標系において、ある任意の明度Ｌについてのａｂ平面を表現する同一の図である。図中、Ｒ、Ｇ、Ｂ、およびＣ、Ｍ、Ｙと記された白丸点はそれぞれ、ａｂ平面上の任意の色成分に対し色度変換処理を施した場合の変換前後の様子を表現すべく示す、明度Ｌにおいて無彩色（ａ＝ｂ＝０）に対して等価なＲＧＢおよびＣＭＹの各成分の色がａｂ平面においてとる座標点を指し示している。これらは、破線Ｐ１で示される円上にある。
【００７３】
図３に示す、取りうる色相範囲として黄色領域を指定され、かつ第１変換処理モードを実行する場合の色度変換処理は、色度変換部５２が、例えば色度ａ、ｂに対し、以下に示す式３による演算を行うことにより実現される。係る演算式は、ＲＯＭ２１などにあらかじめ記憶され、処理に際して適宜に読み出される（以下の各式についても同様）。
【００７４】
ａ’＝ａ／４，  ｂ’＝ｂ／２＋６４          ・・・（式３）
式３の演算処理を行うことにより、図３（ｂ）に示すように、図３（ａ）において破線Ｐ１の上にあった各点は、ａｂ平面の原点から黄色を表現する＋ｂ軸方向に沿った破線Ｐ２上の点へと変換されることになる。同様に、破線Ｐ１の内部の点も、全て、対応する破線Ｐ２の内部の点へと変換されることになる。
【００７５】
すなわち、変換条件設定部５４により与えられた変換条件に従って、色度変換部５２が式３に示す演算処理を行うことにより、第１中間データＤ１は、これが例えばフルカラー画像を表現するデータであったとしても、主として黄色の濃淡のみで画像内容が表される第２中間データＤ２へと、変換されることになる。
【００７６】
同様に、図４に示す第１変換処理モードによる赤色領域への色度変換処理は、色度変換部５２が、色度ａ、ｂについて例えば以下に示す式４による演算を行うことにより実現される。
【００７７】
ａ’＝ａ／２＋６４，  ｂ’＝ｂ／４＋３２          ・・・（式４）
これにより、破線Ｐ１で示された領域は、破線Ｐ３で示された領域へと変換されることになる。よって、変換条件設定部５４により与えられた変換条件に従って、色度変換部５２が式４に示す演算処理を行うことにより、第１中間データＤ１は、これが例えばフルカラー画像を表現するデータであったとしても、主として赤色の濃淡のみで画像内容が表される第２中間データＤ２へと、変換されることになる。
【００７８】
また、上記に例示していない他の色相が取りうる色相範囲として指定された場合も、上記と同様の演算式による変換演算によって第１の変換処理モードによる色度変換処理を実現することが可能である。
【００７９】
一方、図５に示す、取りうる色相範囲として黄色領域を指定され、かつ第２変換処理モードを実行する場合の色度変換処理は、色度変換部５２が、例えば色度ａ、ｂに対し、以下に示す式５による演算を行うことにより実現される。
【００８０】
ａ’＝ａ／４，  ｂ’＝ｂ（ｂ≧０） or ｂ’＝０（ｂ＜０）  ・・・（式５）
式５の演算処理を行うと、図５（ｂ）に示すように、図５（ａ）において破線Ｐ１上および破線Ｐ１の内部に存在した点のうち、無彩色を表現する原点（ａ＝ｂ＝０）は、変換によっても不変である。すなわち、変換において無彩色は無彩色のまま維持されることになる。また、黄色が存在するｂ＞０の領域とは反対側のｂ＜０の領域に存在した点についてはｂの値が全て０と変換されることになる。その結果、破線Ｐ１で示された領域は、破線Ｐ４で示された領域へと変換されることになる。
【００８１】
すなわち、変換条件設定部５４により与えられた変換条件に従って、色度変換部５２が式５に示す演算処理を行うことにより、第１中間データＤ１は、これが例えばフルカラー画像を表現するデータであったとしても、無彩色は無彩色のまま維持され、ｂ＞０の成分を有する色成分のみが黄色の濃淡として反映され、他は実質的に無彩色として表される第２中間データＤ２へと、変換されることになる。
【００８２】
同様に、図６に示す第２変換処理モードによる赤色領域への色度変換処理は、色度変換部５２が色度ａ、ｂに対し、例えば以下に示す式６による演算を行うことにより実現される。
【００８３】
ａ’＝ａ（ａ≧０） or ａ’＝０（ａ＜０），  ｂ’＝ｂ／４＋３２  ・・・（式６）
これにより、破線Ｐ１で示された領域は、破線Ｐ５で示された領域へと変換されることになる。よって、変換条件設定部５４により与えられた変換条件に従って、色度変換部５２が式６に示す演算処理を行うことにより、第１中間データＤ１は、これが例えばフルカラー画像を表現するデータであったとしても、無彩色は実質的に無彩色のまま維持され、ａ＞０の成分を有する色成分のみが赤色の濃淡として反映され、他は無彩色として表される第２中間データＤ２へと、変換されることになる。
【００８４】
また、上記に例示していない他の色相が取りうる色相範囲として指定された場合も、上記と同様の演算式による変換演算によって第２の変換処理モードによる色度変換処理を実現することが可能である。
【００８５】
なお、式３ないし式６による演算処理は、あくまで例示であって、それぞれの変換処理モードの処理目的に叶い、かつ処理が煩雑にならないことを前提に適切な変換処理がなされる演算処理であれば、他の演算式が用いられてもよい。
【００８６】
一般的にいえば、第１および第２変換処理モードによる色度変換処理は、ｙ＝ｃ１・ｘ＋ｃ０（ｃ１、ｃ０は任意の実数、ｘはａまたはｂ、ｙはａ’またはｂ’）なる一次関数式にて表現される変換処理（線形変換処理）を色度ａ、ｂのそれぞれに対して独立に行うことにより、実現される。そして、ｃ０≠０の場合が第１変換処理モードに相当し、ｃ０＝０の場合が第２変換処理モードに相当することになる。なお、式５および式６に示すように、ａ、ｂの値に応じてｃ１、ｃ０として異なる値が定められてもよい。
【００８７】
あるいは、１次関数式に代えて、２次関数式その他適宜の関数式を用いる態様であってもよい。
【００８８】
すなわち、変換処理に用いる演算式をあらかじめ定めてＲＯＭ２１などに記憶しておきさえすれば、色相平面（ａｂ平面）内の任意の領域が変換後に取りうる色相範囲の指定や、無彩色の維持の要否の指定がユーザによってなされている場合に、色度変換部５２において該演算式を読み出して演算処理を実行することで、該指定内容に応じた色度変換処理を行うことが出来る。
【００８９】
色度変換部５２における色度変換処理に得られた第２中間データＤ２は、第２空間変換部５３においてさらに印刷画像データＤ３に変換されて、プリンタ１２における印刷処理に供されることになる。上述したように、印刷画像データＤ３へ変換の際には、第２中間データＤ２を生成する際にユーザによって指定された色相範囲に対応して定まる印刷色成分のみが、印刷画像データＤ３において色成分として再現されるように、変換がなされることになる。
【００９０】
以上、説明したように、本実施の形態に係る画像処理装置においては、Ｌａｂ色座標系で表現された画像データのａ、ｂ成分に対して独立に、簡単な変換演算処理を実行するだけで、ユーザがあらかじめ指定した任意の色相範囲にのみ色成分を有する画像データを生成することが出来る。これにより、専用の生成回路を備えるなどといった複雑な構成を要することなく、例えばモノカラー画像のようにある色相範囲にのみ色成分を有するように限定した画像の生成を、簡単な変換処理のみで実現することが出来る。さらには、指定された色相範囲に対応させて印刷色成分を設定するようにしているので、該色相範囲にのみ色成分を有する、変換演算処理後の画像データを対象とする印刷を、適切な色成分についての記録材のみを使用して行うことが出来る。
【００９１】
＜変形例＞
上述の実施の形態においては、各変換処理モードによる色度変換処理を、指定された色相範囲に応じて定められた演算式を用いて行っていたが、これに代わり、変換前後の色度値を１対１に対応させた所定の変換テーブル（いわゆるＬＵＴ）を色相範囲ごとにあらかじめＲＯＭ２１などに記憶しておき、これを参照しつつ色度変換処理を行う態様であってもよい。係る場合も、ａ、ｂ成分それぞれについて独立に変換テーブルが設けられることになる。
【００９２】
また、上述の実施の形態においては、第１色空間変換部５１において、Ｌａｂ色座標系で記述した第１中間データＤ１を生成しているが、これに代わり、輝度成分と２つの色差成分とによって記述されるＹＣｂＣｒ色座標系で記述するようにしてもよい。この場合、以降の処理において、ＹＣｂＣｒ色座標系に従った記述がなされた数値および演算式を等を取り扱うことになるが、処理内容の本質は上述の実施の形態と同じである。
【００９３】
また、上述の実施の形態においては、第２空間変換部５３における印刷画像データＤ３へ変換の際に、ユーザによって指定された色相範囲に対応して定まる印刷色成分のみが、印刷画像データＤ３において色成分として再現されるようにすることで、プリンタ１２における記録材の節約が図られているが、係る節約のための態様は、これに限定されない。
【００９４】
図８は、記録材の節約を実現できる、上述の実施の形態とは異なる態様について例示する図である。図８に示す場合、印刷色成分設定部５６は、上述の実施の形態と同様に印刷色成分を特定するが、これを第２色空間変換部５３ではなく、プリンタ１２の図示しない制御手段に与えるようになっている。一方、第２色空間変換部５３は、印刷色成分がどのように特定されたのかとは無関係に、つまりは、第２中間データＤ２の色成分がどのような色相範囲にあるのかということには無関係に、フルカラー再現用の空間変換テーブルを用いた変換処理を行って第３画像データＤ３を生成し、これをプリンタ１２に与える。
【００９５】
プリンタ１２においては、制御手段が、印刷色成分設定部５６より与えられた印刷色成分の情報に基づいて第３画像データＤ３に係る印刷に使用する印刷色成分を特定し、その内容に応じてプリンタ１２において印刷を実行させる。
【００９６】
係る態様の場合も、結局のところ印刷に用いられるのはユーザが指定した色相範囲に対応する記録材のみということになるので、上述の実施の形態と同様に、記録材の節約が実現されることになる。
【図面の簡単な説明】
【００９７】
【図１】本発明の実施の形態に係る画像処理装置１Ａの内部構成を示すブロック図である。
【図２】画像変換処理部５０の機能的な構成要素を示す図である。
【図３】色域均等圧縮モードによる黄色へのモノカラー化を例示する図である。
【図４】色域均等圧縮モードによる赤色へのモノカラー化を例示する図である。
【図５】不要色域棄却モードによる黄色へのモノカラー化を例示する図である。
【図６】不要色域棄却モードによる赤色へのモノカラー化を例示する図である。
【図７】色相範囲設定メニューＭＮを例示する図である。
【図８】変形例を示す図である。
【符号の説明】
【００９８】
１Ａ  画像処理装置
１１  スキャナ
１２  プリンタ
１３  表示部
１４  操作部
２０  ＭＰＵ
２１  ＲＯＭ
２２  ＲＡＭ
２３  画像メモリ
【図１】
2007059964.tif 000003
【図２】
2007059964.tif 000004
【図３】
2007059964.tif 000005
【図４】
2007059964.tif 000006
【図５】
2007059964.tif 000007
【図６】
2007059964.tif 000008
【図７】
2007059964.tif 000009
【図８】
2007059964.tif 000010